(57)【要約】【課題】足場板の妻側端部上に簡単容易に固定できる妻側幅木を提供する。【解決手段】足場板Ｐの妻側端部上に起立姿勢に載置される幅木本体３を有し、足場板Ｐの妻側端部上に起立姿勢に載置される幅木本体３を有し、幅木本体３の左右各端部には、足場板Ｐの桁側端部上に載置固定される桁側幅木２の上端部に乗せ掛けてこの上端部を把持する把持用フック４を幅木本体３の端部上面に取り付けると共に、前記桁側幅木２に設けたロッド挿入孔８に挿入させる固定用ロッド５を幅木本体３の外側面側に設け、固定用ロッド５は、常時はバネ６によって幅木本体３の左右端面から突出させているロッド先端部５ａｏを、バネ６の付勢力に抗して引っ込めた状態から前記桁側幅木２のロッド挿入孔８に突入させるようになっている。【選択図】図２
2011047116.tif 000002
【特許請求の範囲】
【請求項１】
足場板の妻側端部上に起立姿勢に載置される幅木本体を有し、この幅木本体の左右各端部には、足場板の桁側端部上に載置固定される桁側幅木の上端部に乗せ掛けてこの上端部を把持する把持用フックを幅木本体の端部上面に取り付けると共に、前記桁側幅木に設けたロッド挿入孔に挿入させる固定用ロッドを幅木本体の外側面側に設け、前記固定用ロッドは、常時はバネによって幅木本体の左右端面から突出させているロッド先端部を、バネの付勢力に抗して引っ込めた状態から前記桁側幅木のロッド挿入孔に突入させるようになっている足場板用妻側幅木。
【請求項２】
前記把持用フックは、水平板部と、水平板部の先端部から下向き垂直に突出する垂直板部とで側面視Ｌ字形に形成されたもので、その水平板部の基端部側を幅木本体の端部上面に固着してなる請求項１に記載の足場板用妻側幅木。
【請求項３】
前記固定用ロッドは、直線状に延びるロッド本体と、ロッド本体の基端部から直角に突出する把手部とで略Ｌ字状に形成されたもので、ロッド本体を、幅木本体内部に取り付けたブラケットで幅木本体長さ方向スライド自在に支持すると共に、ロッド本体とブラケットとの間に介装したバネによってロッド本体の先端部が常時幅木本体の左右端面から突出するように付勢してなる請求項１又は２に記載の足場板用妻側幅木。
【請求項４】
前記バネの付勢力に抗して固定用ロッド５の先端部を幅木本体の端面から引っ込めた状態に保持する保持手段を設けてなる請求項１〜３の何れかに記載の足場板用妻側幅木。
【請求項５】
前記保持手段は、前記ブラケットに設けた立上部片に係止溝を形成し、バネの付勢力に抗して固定用ロッドの先端部を幅木本体の端面から引っ込めた状態で把手部を前記係止溝に係止させるようにしてなる請求項４に記載の足場板用妻側幅木。
【発明の詳細な説明】
【技術分野】
【０００１】
本発明は、建築現場等で仮設される足場板の妻側端部に取り付けられる足場板用妻側幅木に関するものである。
【背景技術】
【０００２】
建築作業現場等おける足場板上での高所作業では、作業者の手にしたボルト・ナット、金具等の種々の作業用部品や工具類、足元に置いた各種資材や用具等を誤って落下させ、事故につながるという危険性が常に付きまとう。そこで、足場板の桁側端部には桁側幅木、妻側端部には妻側幅木を取り付けることが行われている。図５には、枠組足場Ｗに配設されている足場板Ｐの桁側端部に取り付けられた桁側幅木２及び妻側端部に取り付けられた妻側幅木１を示す。
【０００３】
従来、桁側幅木としては、これを足場板の桁側端部に沿って簡単容易に固定できるようにしたものが種々提供されているが、妻側幅木については、この妻側幅木を足場板の妻側端部に簡単容易に固定できるようなものが未だ提供されていない。即ち、従来にあっては、足場板の妻側端部上に載置した妻側幅木の両端部を夫々ワイヤー等によって桁側幅木の端部に連結するなどして固定するようにしているため、妻側幅木の固定作業に手間がかかる上に、その取り外し作業が非常に面倒であった。
【発明の概要】
【発明が解決しようとする課題】
【０００４】
本発明は、上記のような事情に鑑み、足場板の妻側端部上に簡単容易に固定できるようにした妻側幅木を提供することを目的としている。
【課題を解決するための手段】
【０００５】
上記課題を解決するための手段を、後述する実施形態の参照符号を付して説明すると、請求項１に係る発明は、足場板Ｐの妻側端部上に起立姿勢に載置される幅木本体３を有し、足場板Ｐの妻側端部上に起立姿勢に載置される幅木本体３を有し、この幅木本体３の左右各端部には、足場板Ｐの桁側端部上に載置固定される桁側幅木２の上端部に乗せ掛けてこの上端部を把持する把持用フック４を幅木本体３の端部上面に取り付けると共に、前記桁側幅木２に設けたロッド挿入孔８に挿入させる固定用ロッド５を幅木本体３の外側面側に設け、前記固定用ロッド５は、常時はバネ６によって幅木本体３の左右端面から突出させているロッド先端部５ａｏを、バネ６の付勢力に抗して引っ込めた状態から前記桁側幅木２のロッド挿入孔８に突入させるようになっていることを特徴とする。
【０００６】
請求項２は、請求項１に記載の足場板用妻側幅木において、前記把持用フック４は、水平板部４ａと、水平板部４ａの先端部から下向き垂直に突出する垂直板部４ｂとで側面視Ｌ字形に形成されたもので、その水平板部４ａの基端部側を幅木本体３の端部上面に固着してなることを特徴とする。
【０００７】
請求項３は、請求項１又は２に記載の足場板用妻側幅木において、前記固定用ロッド５は、直線状に延びるロッド本体５ａと、ロッド本体５ａの基端部から直角に突出する把手部５ｂとで略Ｌ字状に形成されたもので、ロッド本体５ａを、幅木本体３内部に取り付けたブラケット１０で幅木本体３長さ方向スライド自在に支持すると共に、ロッド本体５ａとブラケット１０との間に介装したバネ６によってロッド本体５ａの先端部が常時幅木本体３の左右端面から突出するように付勢してなることを特徴とする。
【０００８】
請求項４は、請求項１〜３の何れかに記載の足場板用妻側幅木において、前記バネ６の付勢力に抗して固定用ロッド５の先端部５ａｏを幅木本体３の端面から引っ込めた状態に保持する保持手段を設けてなることを特徴とする。
【０００９】
請求項５は、請求項４に記載の足場板用妻側幅木において、前記保持手段は、前記ブラケット１０に設けた立上部片１４に係止溝１４ａを形成し、バネ６の付勢力に抗して固定用ロッド５の先端部５ａｏを幅木本体３の端面から引っ込めた状態で把手部５ｂを前記係止溝１４ａに係止させるようにしてなることを特徴とする。
【発明の効果】
【００１０】
上記解決手段による発明の効果を、後述する実施形態の参照符号を付して説明すると、請求項１に係る発明の妻側幅木１によれば、幅木本体３の左右各端部に、足場板Ｐの桁側端部上に載置固定される桁側幅木２の上端部に乗せ掛けてこの上端部を把持する把持用フック４を幅木本体３の端部上面に取り付けると共に、桁側幅木２に設けたロッド挿入孔８に挿入させる固定用ロッド５を幅木本体３の外側面側に設けているから、足場板Ｐの左右両桁側端部に取り付けられている桁側幅木２，２の端部間に、上方から妻側幅木１を足場板Ｐ上面の妻側端部に降ろし、各把持用フック４を桁側幅木２の上端部に乗せ掛けて、この桁側幅木２上端部を把持すると共に、固定用ロッド５を桁側幅木２のロッド挿入孔８に突入させることによって、幅木本体３を起立姿勢に簡単容易に固定することができる。
【００１１】
請求項２に係る発明によれば、把持用フック４は、水平板部４ａと、水平板部４ａの先端部から下向き垂直に突出する垂直板部４ｂとで側面視Ｌ字形に形成されたもので、その水平板部４ａの基端部側を幅木本体３の端部上面に固着するようになっているから、この把持用フック４の構造が簡単で、幅木本体３の端部への取付けが容易となると共に、桁側幅木２上端部の把持が容易となる。
【００１２】
請求項３に係る発明によれば、固定用ロッド５は、ロッド本体５ａと把手部５ｂとで略Ｌ字状に形成し、ロッド本体５ａを、幅木本体３内部に取り付けるブラケット１０で幅木本体長さ方向スライド自在に支持すると共に、ロッド本体５ａとブラケット１０との間に介装したバネ６でロッド本体５ａの先端部５ａｏが常時幅木本体３の左右端面から突出するように付勢したものであるから、幅木本体３への取付けが容易であると共に、把手部５ｂによってロッド本体５ａを簡単容易にロックし、またロック解除することができる。
【００１３】
請求項４に係る発明によれば、バネ６の付勢力に抗してロッド先端部５ａｏを幅木本体３の端面から引っ込めた状態に保持する保持手段を設けることによって、幅木本体３の取付け及び取り外し操作が容易となる。
【００１４】
請求項５に記載のように、ブラケット１０に設けた立上部片１４に係止溝１４ａを形成し、この係止溝１４ａに把手部５ｂを係止させるようにすることで、前記保持手段を簡単に構成することができる。
【図面の簡単な説明】
【００１５】
【図１】(a) は本発明に係る妻側幅木をその外面側から見た正面図、(b) は平面図である。
【図２】(a) は同妻側幅木の使用状態を示す平面図、(b) は図１の(a) のＸ−Ｘ線断面図である。
【図３】(a) はブラケットに取り付けた状態の固定用ロッドを示す斜視図、(b) はその平面図、(c) は正面図である。
【図４】(a) は桁側妻側幅木の一部を示す正面図、(b) は平面図である。
【図５】枠組足場に配設されている足場板に取り付けられた桁側幅木及び妻側幅木を概略的に示す斜視図である。
【発明を実施するための形態】
【００１６】
以下に本発明の好適な一実施形態を図面に基づいて説明すると、図１〜図３において、１は本発明に係る妻側幅木を示し、２は桁側幅木を示す。妻側幅木１は、足場板Ｐの妻側端部上に起立姿勢に載置される幅木本体３を有する。この幅木本体３の左右各端部には、図１に示すように、足場板Ｐの桁側端部上に載置固定された桁側幅木２の上端部に乗せ掛けてこの上端部を把持するＬ字形の把持用フック４を幅木本体３の端部上面に取り付けると共に、前記桁側幅木２に設けたロッド挿入孔８に挿入させる固定用ロッド５を幅木本体３の外側面側に設け、前記固定用ロッド５は、コイルバネ６によってロッド先端部が常時桁側幅木２のロッド挿入孔８に挿入するように付勢され、コイルバネ６の付勢力に抗して手前側へ引っ張ることによりロッド挿入孔８から抜き出すようになっている。
【００１７】
幅木本体３は、金属板材によって、図２の(b) に示す桁側幅木２の幅木本体１７と同じ様な断面略コ字状に形成されたもので、左右両端部にはコ字形金具７，７が取り付けられている。各把持用フック４は、図２の(b) に示すように、水平板部４ａと、この水平板部４ａの先端部から下向き垂直に突出する垂直板部４ｂとで側面視Ｌ字形に形成されていて、水平板部４ａの基端部側が幅木本体３の端部上面にリベットＲで固着されている。
【００１８】
固定用ロッド５は、図１〜図３に示されるように、直線状に延びるロッド本体５ａと、このロッド本体５ａの基端部から直角に突出する把手部５ｂとによって略Ｌ字状に形成されたもので、ロッド本体５ａ５ａを、幅木本体３の外側面側にリベットＲで取り付けたブラケット１０により幅幅木本体３の長さ方向スライド自在に支持すると共に、ロッド本体５ａとブラケット１０との間に介装したコイルバネ６によってロッド本体５ａの先端部５ａｏが幅木本体３の左右端面から常時突出するように付勢している。尚、固定用ロッド５を支持するブラケット１０を幅木本体３の外側面側に取り付けるのは、幅木本体３の内側面側（足場板Ｐを臨む側）に取り付けた場合にはブラケット１０及びこれに取り付けられるロッド５等が幅木本体３の内側面から突出して障害物となり、作業の邪魔になったり、作業者が足を引っ掛けたりする不都合があるからである。
【００１９】
この固定用ロッド５を幅木本体３に取り付けるには、図２の(b) に示すように、ロッド本体５ａをスライド自在に支持してロッド本体５ａとの間にコイルバネ６を介装したブラケット１０を、幅木本体３の外側面の両端部に夫々リベットＲによって取り付け固定し、ロッド本体５ａの先端部５ａｏを、コイルバネ６の付勢力によって、コ字形金具７の端面側中央部に設けた孔１１から突出させるようにすればよい。
【００２０】
ブラケット１０は、図３に示すように、鋼板を折曲して凹部１２と凸部１３とを形成すると共に、凹部１２側の端部に立上部片１４を形成したもので、凸部１３の両端壁１３ａ，１３ｂに設けた貫通孔１５，１５に、固定用ロッド５のロッド本体５ａを、スライド自在で且つその軸線回りに回転自在に挿通すると共に、ロッド本体５ａに嵌挿したコイルバネ６の一端部を一方の端壁１３ａに当接し、その他端部をロッド本体５ａに貫通させた固定ピン１６に係止することにより、常時はロッド本体５ａの先端部５ａｏが外方へ突出するようにロッド本体５ａを付勢してロック状態とし、コイルバネ６の付勢力に抗して把手部５ｂを引っ張ることによりロック状態を解除でき、また把手部５ｂを立上部片１４の係止溝１４ａに係止させることにより、ロッド本体５ａをロック解除状態に保持することができる。
【００２１】
一方、足場板Ｐの桁側端部沿いに取り付けられる桁側幅木２は、例えば図４の(a) 及び(b) に示すように、妻側幅木１の幅木本体３と同様な断面略コ字状の幅木本体１７を有し、この幅木本体１７の前後両端部にコ字形金具１８が取り付けられている。この桁側幅木２は、図４の(a) ，(b) に示すように、桁側幅木固定ロッド１９を、幅木本体１７の上下両端面を貫通するように設けられた貫通孔２０に貫通して、足場板Ｐの上面の桁側端部所定位置に設けられたロッド挿入孔２５に挿入することにより、足場板Ｐの桁側端部上に起立姿勢に固定されるようになっている。
【００２２】
上記のように構成される妻側幅木１を取り付けるには、図２の(a) 及び図４の(a)，(b)に示すように足場板Ｐの左右両桁側端部に桁側幅木２，２が取り付けられている状態で、両桁側幅木２，２の端部間に、上方から妻側幅木１を足場板Ｐ上面の妻側端部に降ろして載置するのであるが、この時、左右各固定用ロッド５のロッド本体５ａは、図２の(b) 仮想線図示のように、バネ付勢力に抗して把手部５ｂを引っ張って、把手部５ｂを立上部片１４の係止溝１４ａに係止させることによりロック解除状態（ロッド本体５ａの先端部５ａｏを幅木本体３の端面から引っ込めた状態）に保持しておく。
【００２３】
こうして妻側幅木１の左右各固定用ロッド５をロック解除した状態で、各把持用フック４を図２の(b) に示すように桁側幅木２の幅木本体１７の上端部に乗せ掛けることによりこの幅木本体１７の上端部を把持し、そして固定用ロッド５のロックを解除して、ロッド本体５ａの先端部５ａｏをピン孔８に突入させ、これによって妻側幅木１の幅木本体３を両桁側幅木２，２の端部間で足場板Ｐの妻側端部上に起立姿勢に固定することができる。こうして取り付けた妻側幅木１の取付状態は図２の(a) ，(b) に示す通りである。
【００２４】
図２の(a) 及び図５において、２１は足場建枠で、２２は足場建枠の縦材、２３はその横材（横架材）で、この横材２３に、足場板Ｐの両端部に突設されているフックＦが掛止される。尚、図１及び図３に示す実施形態では、足場板長手方向に対向配置された足場建枠２１，２１の横材２３，２３間には、例えば横幅５００ｍｍの足場板Ｐを２枚並列状態に掛架した状態を示している。
【００２５】
以上説明したような妻側幅木１によれば、この妻側幅木１を足場板Ｐの妻側端部に取り付けるのに、足場板Ｐの左右両桁側端部に桁側幅木２，２が取り付けられている状態で、両桁側幅木２，２の端部間にその上方から妻側幅木１を足場板Ｐの妻側端部に降ろして、各把持用フック４を桁側幅木２の幅木本体１７の上端部に乗せ掛けることにより幅木本体１７の上端部を把持し、そして固定用ロッド５のロッド本体５ａの先端部５ａｏをピン孔８に突入させればよいから、幅木本体３を簡単容易に起立姿勢に固定することができる。また妻側幅木１を取り外す時は、ロッド本体先端部５ａｏをバネ６の付勢力に抗して引っ込めた状態で幅木本体３を持ち上げればよいから、迅速容易に取り外すことができる。
【００２６】
また、この妻側幅木１においては、把持用フック４は、水平板部４ａと、水平板部４ａの先端部から下向き垂直に突出する垂直板部４ｂとで側面視Ｌ字形に形成されたもので、その水平板部４ａの基端部側を幅木本体３の端部上面に固着するようになっているから、この把持用フック４の構造が簡単で、幅木本体３の端部への取付けが容易となると共に、桁側幅木２上端部の把持が容易となる。
【００２７】
また、固定用ロッド５は、ロッド本体５ａと把手部５ｂとでＬ字状に形成したもので、ロッド本体５ａを、幅木本体３内部に取り付けるブラケット１０で幅木本体長さ方向スライド自在に支持すると共に、ロッド本体５ａとブラケット１０との間に介装したコイルバネ６によりロッド本体５ａの先端部５ａｏが常時幅木本体３の左右端面から突出するように付勢したものであるため、幅木本体３への取付けが容易になると共に、把手部５ｂによってロッド本体５ａを簡単にロックし、また簡単にロック解除することができる。
【００２８】
また、固定用ロッド５のロッド本体５ａは、図２の(b) 及び図３の(a) に示すように、コイルバネ６の付勢力に抗して把手部５ｂを引っ張って把手部５ｂを立上部片１４の係止溝１４ａに係止させることにより、ロック解除状態（ロッド本体５ａの先端部５ａｏを幅木本体３の端面から引っ込めた状態）に保持することができるから、幅木本体３の取付け及び取り外し操作が容易となる。
【符号の説明】
【００２９】
Ｐ              足場板
１              妻側幅木
２              桁側幅木
３              妻側幅木の幅木本体
４              把持用フック
４ａ            水平板部
４ｂ            垂直板部
５              固定用ロッド
５ａ            ロッド本体
５ａｏ          ロッド本体の先端部
５ｂ            把手部
６              コイルバネ
８              ロッド挿入孔
１０            ブラケット
１４            立上部片
１４ａ          係止溝
【図１】
2011047116.tif 000003
【図２】
2011047116.tif 000004
【図３】
2011047116.tif 000005
【図４】
2011047116.tif 000006
【図５】
2011047116.tif 000007